(57)【特許請求の範囲】
【請求項１】
扉取付部材に対し蝶番を介し回動開閉可能に取り付ける扉おいて、扉取付部材に固着する蝶番部材は、扉取付部材に接する基端側を扉取付部材の前端に穿った切り欠き穴から挿入して扉取付部材に固着すると共に、先端側は蝶番部材平面に沿って貫通形成されたピン装着孔を介し扉の側端部にピンで連結し、扉がこのピンを支点に開閉可能にする一方、蝶番部材の前記切り欠き穴の位置には蝶番部材平面と略直交方向で且つ切り欠き穴の扉開閉方向内外端と一部が重なるようにネジ孔を貫通形成し、そのネジ孔に装着した調整ネジを前進または後退させた際に、調整ネジ端が前記切り欠き穴の扉開閉方向外端または内端に当接しそれを押圧する反力で前記蝶番部材の先端側が変形して扉の内方または外方に反り返るように構成したことを特徴とする開閉扉の蝶番機構。
【請求項２】
扉取付部材の前端に穿った切り欠き穴より挿入し扉取付部材に固着する蝶番部材が、その固着側基端から前記切り欠き孔よりやや先端寄り位置までを樹脂板とその樹脂板の平面に沿ってこれと一体的に重ね合わさる金属板とで形成し、且つ前記金属板より先端側に延長する樹脂板の先端に板面に沿う方向のピン装着孔を形成し、そして前記切り欠き穴の扉開閉方向内外端と一部が重なるように蝶番部材の板面と略直交方向に蝶番部材を貫通するネジ孔を形成した構成である請求項１に記載の開閉扉の蝶番機構。
【請求項３】
扉取付部材の前端に穿った切り欠き穴から挿入し基端部を扉取付部材に固着する蝶番部材が、前記切り欠き穴より先端側を扉の外端側に向くように鉤状に曲げると共に、その鉤状部先端に蝶番部材の板面に沿う方向のピン装着孔を形成し、前記切り欠き穴の扉開閉方向内外端と一部が重なるように蝶番部材の板面と略直交方向に蝶番部材を貫通するネジ孔を形成した構成である請求項１または請求項２のいずれかに記載の開閉扉の蝶番機構。
【発明の詳細な説明】
【０００１】
【発明の属する技術分野】
本発明は、ロッカーや書棚などの収納ボックスあるいは窓や出入り口などに用いられる蝶番を備えた回動式開閉扉において、扉の幅方向の位置調整により扉の建て付け修正を行う技術に関する。
【０００２】
【従来の技術】
蝶番付き開閉扉を側壁などの取付部材に取り付ける際に、他方の扉または扉枠との開閉側合わせ面に隙間や傾きが生ずることがあり、或いは長期間の使用による蝶番部の変形などが原因で扉の開閉側合わせ面に狂いが生ることもあり、扉を幅方向に位置調整して建て付けを修正する必要がある。
この扉の幅方向の位置調整を行う機構としては、従来はたとえば図６に示す機構が知られている。
【０００３】
図６は、収納ボックスの開閉扉の蝶番部分を横断面にして示した部分図で、収納ボックス２０は正面側が開口する箱体２１の開口部側壁前端に扉２２を蝶番部材２４を介して回動開閉可能に取り付けた状態を示している。
図における蝶番部材は、扉取付部材２３に接する側の基部が樹脂板２５とその樹脂板の平面に沿ってこれと一体的に重ね合わさる金属板２６を有し且つ金属板２６より先端側の樹脂板先端２４ａに蝶番の板面に沿う方向のピン装着孔２９を有す構成である。そして、その基端側を扉取付部材２３の端部に板状の調整部材２７を介し取付ネジ２８で締め付け固定すると共に、扉取付部材端から突出する蝶番部材２４の先端部２４ａは扉２２側の側端部に固着した相手方蝶番部材３１にピン３０で連結し、扉がこの連結ピンを支点に回動可能に構成されている。
【０００４】
図６の扉２２においては、扉の幅方向（図の左右方向）の位置調整は調整部材２７の厚さを変えることで行っている。即ち、予め異なる厚さの調整部材２７を数種類準備しておき、扉２２を扉取付部材２３に取り付けた状態で扉２２の開閉端側における相手側扉または扉枠との隙間や扉の傾き度合を測定し、その結果により得られた修正量に合致する厚さの調整部材を選定後、取付ネジ２８を緩めて蝶番部材２４を一旦取り外し、選定した適宜の厚さの調整部材を蝶番部材と取付部材間に挿入し、改めて取付ネジ２８で締め付け固定するといった手順で扉の幅方向の位置調整が行われる。なお、この場合の傾き調整は、扉上下の蝶番部材に挿入する調整部材の厚さを個別に変えることで対応する。
【０００５】
【発明が解決しようとする課題】
上記従来の方法では、扉を一旦取り受けた状態で扉開閉端側の隙間や傾きを測定し、その度合いに応じ扉の幅方向の位置修正必要量に合致する厚さの調整部材を各蝶番毎に選定した後扉の蝶番部を外し、修正用の調整部材を装着して再び扉を取り付けるといった手順となり、この調整は一度の作業で終わらないこともあり、調整部材装着の作業には多くの時間を必要とし、製品組立やその後の調整の作業に多くの作業時間と費用を要している。
【０００６】
本発明が解決しようとする課題は、ロッカーや書棚などの収納ボックスあるいは窓や出入り口などに用いられる蝶番を備えた開閉扉において、扉の幅方向の位置調整により扉の開閉端側における相手側扉や扉枠との隙間や傾きの修正を容易に且つ短時間で行えるようにする蝶番機構を提供することである。
【０００７】
【課題を解決するための手段】
前記課題を解決するには扉を取り付けた状態のままで蝶番機構の回転支点のピン位置を調整手段により内外方に任意に位置調整が可能な機構にすればよい。
【０００８】
そのためには、まず、蝶番部材は、扉取付部材に接する基端側を扉取付部材の前端に穿った切り欠き穴から挿入して扉取付部材に固着すると共に、先端側は蝶番部材平面に沿って貫通形成されたピン装着孔を介し扉の側端部にピンで連結し、扉がこのピンを支点に開閉可能にする。
【０００９】
一方、蝶番部材の前記切り欠き穴の位置には、蝶番部材平面と略直交方向で且つ切り欠き穴の扉開閉方向内外端と一部が重なるよう
にネジ孔を貫通形成し、そのネジ孔に装着した調整ネジを前進または後退させた際に、調整ネジ端が前記切り欠き穴の扉開閉方向外端または内端に当接しそれを押圧する反力で前記蝶番部材の先端側が変形して扉の内方または外方に反り返るように構成する。
【００１０】
または、蝶番部材は、扉取付部材に固着する基端側から前記切り欠き孔よりやや先端寄り位置までを樹脂板とその樹脂板の平面に沿ってこれと一体的に重ね合わさる金属板とで形成し、且つ前記金属板より先端側に延長する樹脂板の先端に板面に沿う方向のピン装着孔を形成し、そして前記切り欠き穴の扉開閉方向内外端と一部が重なるように蝶番部材の板面と略直交方向に蝶番部材を貫通するネジ孔を形成した構成にしてもよい。
【００１１】
或いは、前記いずれの場合においても、切り欠き穴より先端側の蝶番部材を扉の外端側に向くように鉤状に曲げると共に、その鉤状部先端に蝶番部材の板面に沿う方向のピン装着孔を形成し、前記切り欠き穴の扉開閉方向内外端と一部が重なるように蝶番部材の板面と略直交方向に蝶番部材を貫通するネジ孔を形成した構成にしてもよい。
【００１２】
【発明の実施の形態】
本発明の蝶番機構の実施の形態のうち、その代表的な形態を図１に示す。
図１は、たとえば図５に示す両開き式扉付き収納ボックスの前方開閉扉部分を蝶番部分で横断面にして示した部分図の更に片側の主要部を拡大して示す図である。図において、収納ボックス１９は、正面側が開口する箱体２と、その開口部を覆う扉３と、箱体の側壁前端と扉３の側端とを連結する蝶番機構１とを有し、蝶番機構１の蝶番部材５の先端に装着されたピン９により連結された扉３がピン９を支点に回動開閉可能に取り付けられた状態を示している。
【００１３】
蝶番機構１の蝶番部材５は、箱体２の側面に取着する平坦な基端部５ａと箱体の外方（つまり扉の側端側で図の右方）に向けて鉤状に曲がった形状の先端部５ｂとを有す板状部材であり、先端部５ｂには板面に沿う方向に扉３を連結するピン９を装着するためのピン装着孔８を貫通形成し、且つ、鉤状部基部には箱体の内方に向けて曲折する曲折部７ａを形成する一方、蝶番部材５は、基端から先端に至る樹脂板６の部材と、その基端側から曲折部７ａのやや先端寄りまでを樹脂板６の平面に沿ってこれと一体的に重ね合わさる金属板７とで形成している。
【００１４】
図４には蝶番部材５と、ピン９、および扉３の側端部に固着するピン支持部材１７（つまり蝶番部材５の相手方部材）の詳細構造を展開して斜視図で示している。蝶番部材５は、この図に示すように、樹脂板６の中央部に長手方向に金属板７の幅とほぼ同幅の凹溝１６とこの凹溝内に突起１４，１４とを形成すると共に、金属板７には突起１４の対応位置に突起１４の形状に対応する貫通穴１５、１５を貫通形成し、金属板７を樹脂板６の凹溝１６に装着した際に突起１４が貫通穴１５に嵌合する事で樹脂板と金属板との一体化をはかるようにし、且つ、蝶番部材５の基端側鉛直部には適宜の位置に取付ネジ１３（図１）を装着するネジ穴１２を貫通形成して構成する。
【００１５】
一方、蝶番部材５の前記曲折部７ａの近傍先端側には、蝶番部材平面と略直交方向に樹脂板と金属板とを貫通する別のネジ孔１０を貫通形成すると共に、ネジ孔１０には、先後端に平坦面１１ａ，１１ｂと後端には六角レンチ装着用六角穴１１ｃとを有す調整ネジ１１を先端が外方に向くように予めねじ込み装着しておく。
【００１６】
このネジ穴１０は、後述の調整ネジ１１の目的の説明の項で関係を詳しく説明するが、扉取付部材４（後に説明する）の前端に開口形成した切り欠き穴４ａから蝶番部材５の後端を挿入して扉取付部材に取り付けた状態で、調整ネジ１１の両端が切り欠き穴４ａの内外端に一部重なる位置に形成する。
【００１７】
そして、蝶番部材５の基端は、扉取付部材４（後に説明する）に取り付ける際に扉取付部材先端に形成した狭い切り欠き穴４ａに挿入しやすいよう、図示のように斜めに角を切り落とした形状にすると都合がよい。
【００１８】
前記の扉取付部材４とは、箱体２の側面前端に図１に示すように、箱体部材の延長端，補強部材４Ａ，保護部材４Ｂなどで付着形成した薄い箱状の扉取付部をいい、扉取付部材４の前端には左右側の内外端が平坦な形状の切り欠き穴４ａを形成する。
【００１９】
蝶番部材５は、基端側５ａを切り欠き穴４ａから挿入し、扉取付部材内の補強部材４Ａに取付ネジ１３で固着する一方、切り欠き穴４ａから突出する先端部５ｂは、扉３の側端部に固着する蝶番の相手方部材即ちピン支持部材１７に対しピン９で連結する。その結果、扉はピン９を支点にして回動開閉が可能となる。
【００２０】
調整ネジ１１の目的は、調整ネジ１１を前進または後退させた際に、調整ネジの先端１１ａまたは後端１１ｂが扉取付部材の切り欠き穴４ａの扉開閉方向外端または内端に当接しそれを押圧する反力で蝶番部材５の曲折部７ａ近傍が変形してその先端が内方または外外に反り返るようにする調整手段として介在する。
【００２１】
次に、以上記載の構成からなる蝶番機構１の作用、即ち扉の幅方向の位置調整について説明する。
図５は、両開き式扉付きの収納ボックス１９の扉と蝶番取付部の横断面を示す部分図で、各扉の外端には前記図１に基づいて説明した本発明に係る蝶番機構が左右対称的に取付られている。
そして、このような両開き扉においては、扉３，３同士の干渉を避けるため互いの合わせ面１８にはごく僅かな隙間Ｂを残すように取り付けられる。
【００２２】
しかしながら、収納ボックスや扉或いは蝶番の製作誤差および組立時の取付誤差などにより、隙間Ｂが広すぎたり、傾いて上下で隙間が異なったり、近寄りすぎて干渉したりする場合があり、このような不具合は扉の幅方向の位置調整により修正しなければならない。
【００２３】
まず本発明の蝶番機構１を介し扉３，３が箱体２に取り付けられた状態で扉開閉端の隙間Ｂを測定し、隙間の大きさと上下の隙間の差から各扉の上下の蝶番それぞれの位置における扉の幅方向位置調整量の見当をつける。そして扉を開き、測定結果に基づき蝶番機構１の調整ネジ１１（図１参照）を回転させると、以下の要領で隙間Ｂの調整が行える。なお、以下の説明において各部の符号および名称は図１と共通している。
【００２４】
調整ネジ１１を前進方向（扉の外方で図１の斜め右方）に旋転させ先端１１ａを箱体２の扉取付部材４の前端部切り欠き穴４ａの扉開閉方向外端に当接させ更にねじ込むと、蝶番部材５が先端側７ａの部位で変形して内方に反り返り、それに伴い蝶番部材先端５ｂが内方に移動するので、ピン９を介して扉３が内方に移動する。
【００２５】
これとは反対に調整ネジ１１を後退方向（扉の内方で図１の斜め左方）に旋転させ後端１１ｂを切り欠き穴４ａの内端に当接させ更に後退させると、蝶番部材５の先端側７ａの部位で変形して外方に反り返り、それに伴い蝶番部材先端５ｂが外方に移動するので、ピン９を介して扉３が外方に移動する。
【００２６】
なお、過調整した場合は、調整ネジ１１を逆転すると蝶番部材５の弾性で曲折部７ａの反りが戻り、それに伴い蝶番部材先端５ｂが初期状態側に移動しピン９を介して扉３も初期状態側に移動する。
【００２７】
つまり、扉３の右側端と箱体２の前端部に形成された扉取付部材４の右側端との相対位置の差が組み立て当初にＡ１（図１）であったとすると、調整ネジ１１を前進方向（外方即ち図１の右方向）に旋転していくと徐々に広がり図２のＡ２の状態となり，これとは逆に後退方向（内方即ち図１の左方向）に旋転していくと徐々に狭まり図３のＡ３の状態となるので、扉３は図の左右方向に移動し相手扉と対面する隙間Ｂ（図５）が変化する。
【００２８】
この要領で左右の扉の上下の蝶番機構の調整ネジ１１を順次調整すると扉が幅方向に移動し、取付位置と傾きを調整ネジ１１の移動可能範囲（可調整範囲）以内で内外方いずれの方向にも任意に調整することが可能である。
【００２９】
調整ネジ１１の旋転操作で得られる蝶番部材先端部５ｂの変位量は僅かであるが、扉の隙間調整や傾きの調整に必要な移動量は数ミリメートル程度（通常は約５ｍｍ以内）であるので蝶番部材の変形量（反りの変化量）は僅かでよく、この調整で蝶番部材５の強度や耐久性に影響することはない。
【００３０】
なお、上記のように調整ネジ１１を旋転操作すると、蝶番部材５が曲折部７ａを中心に先端部５ａが首を振るように回転するので、箱体２の前端および扉取付部材前端部からピン９の中心までの距離も僅かに変化し、それに伴って扉３の内面と箱体２や扉取付部材の前端部との距離も変化することになる。
【００３１】
この距離の変化量はごく僅かであるが、万一扉と箱体前端とが互いに干渉する事態が発生した場合、蝶番部材先端側の樹脂板を図のように鉤状に曲がった形状にしてあると鉤状部の曲率が開き方向に容易に若干変形し、その作用で扉３内面と箱体２前端面との干渉量に追従し、扉を無理なく閉めることが可能である。
【００３２】
蝶番部材５のネジ孔１０を曲折部７ａの近傍先端寄りに金属板先端部と樹脂板とを貫通して形成しているので、箱体２の前端は図示のように外に向けて斜めに広がる斜面形状にしてその前端斜面に切り欠き穴４ａを形成している。このようにしたことで、調整ネジ１１をこれと当接する前端斜面部材の方向に向くため、構造強度的に調整ネジの推力を大きくする事ができ、調整ネジを進退させた際に蝶番部材が曲折部７ａで容易に変形する利点がある。
【００３３】
なお、本発明の蝶番機構は様々な形状や形態が可能であり、以上の説明と実施例の図に限定されるものではない。また、本発明の蝶番機構は、図５に示す両開き式扉のほか、図示は省略するが片開き式扉に対しても実施できる。
【００３４】
上記の説明において、蝶番部材５の樹脂板６の基部平面に沿って金属板７を一体的に取り付ける理由は、蝶番部材の剛性を増す事と、取付ネジ１３用ネジ孔１２や調整ネジ１１用ネジ孔１０を形成するのに適した強度にする為であるが、たとえば、蝶番部材５の金属板と樹脂板とを一体化する方法としては、図示は省略するが前記のほかにも両者を接着したり或いは樹脂板内部にモールドさせ一体形成するなど適宜の方法が有効である。
【００３５】
また、蝶番部材５は、図示の場合は、扉取付部材の切り欠き穴４ａ近傍の基端側に内方（即ち扉の開閉端側）に向けて曲折する曲折部７ａと、その先端側を外方に向けて鉤状に曲げた鉤状部とを有す形状としているが、このほかにも図示はしないが、曲折部や鉤状部を設けないまっすぐな形状にしてもよい。
【００３６】
蝶番部材５の金属板７は、金属板はたとえば鋼やバネ鋼など弾性のある材質を用いると調整ネジ１１で先端部７ａの反り角度の調整が行い易く、過調整した場合でもネジを緩めると樹脂板と金属板の弾性により反りを戻すことが可能である。
【００３７】
蝶番部材５の樹脂板６に十分な強度とじん性と耐久性のある合成樹脂材を用いた場合は、図示はしないが、曲折部７ａの部位で金属板を基端側と先端側とに２分割した構造にし、樹脂板６の弾性だけで先端部の反りの角度調整を行う方法を採用してもよい。
【００３８】
樹脂板６は機械的強度と弾性に富んだ材質であればよいが、耐疲労性、強じん性、耐摩耗性に優れ且つ無給油でもピン支持部の回転が円滑に行えるよう自己潤滑性にも優れた材質を用いるのが好ましい。
これらの性質を兼ね備えた合成樹脂として通称ＰＯＭ（ポリアセタール）が知られており、この合成樹脂材を用いるとよいがそれに限定するものではない。
【００３９】
一方、蝶番部材は、上記の実施例ように樹脂板と金属板といった複合材料で形成するのではなく、図示はしないが、薄い金属板のみまたは合成樹脂板のみ或いはその他適宜の材料により単一材料で形成してもよく、更に、適宜の複数の材料を一体的に重ね合わせて形成してもよい。
【００４０】
蝶番部材を薄い金属板のみまたは樹脂板のみで形成する場合、必要な場合、調整ネジ１１や取付ネジ１３のネジ孔の位置に金属製ナットを溶接またはモールドあるいは圧入など適宜の手段で装着するとネジ孔の強度を増す事がでる。
【００４１】
また、調整ネジ１１のネジ穴は、図示は省略するが、外形が球形または円筒形部材にネジ穴を貫通形成した形態のナットを公知の自在継ぎ手のように左右に方向変換が可能に蝶番部材に装着すると、蝶番部材の変形がより一層容易になり好都合である。
【００４２】
【発明の効果】
本発明の開閉扉の蝶番機構は、扉を箱体に取り付けた後に調整ネジのねじ込み量の調整だけで扉の位置調整や傾きの調整が行えるため、従来のように一度取り付けた扉を取り外して蝶番部に調整部材を装着して再び扉を取り付けるといった作業工程が不要となり、扉の位置調整が極めて簡単且つ短時間で行えるばかりでなく、設置場所の条件や長期間の使用で扉の建て付けが狂った場合などでも同様の作業で修正が容易に行える。また、本発明の開閉扉の蝶番機構では、従来のように多数の厚さの異なる調整部材を用意する必要が無く、調整部材の製作や管理のための余分な費用も不要となり、組立時の調整作業時間の短縮とともに大幅なコスト低減ができる。
【図面の簡単な説明】
【図１】本発明に係る蝶番機構の実施例を横断面にして示す図で、図５の一部分を拡大して示している。
【図２】図１の蝶番機構において扉を内方位置に移動調整した状態を示す図である。
【図３】図１の蝶番機構において扉を外方位置に移動調整した状態を示す図である。
【図４】本発明に係る蝶番機構の主要部を拡大して示す斜視図である。
【図５】本発明に係る蝶番機構を採用した収納ボックスを蝶番部分で横断面にして示す部分図である。
【図６】従来の技術を示す図である。
【符号の説明】
１  蝶番機構
２  箱体
３  扉
４  扉取付部材
４ａ  切り欠き穴
５  蝶番部材
６  樹脂板
７  金属板
８  ピン装着孔
９  ピン
１０  ネジ孔
１１  調整ネジ
【図１】
0004649779.tif 000002
【図２】
0004649779.tif 000003
【図３】
0004649779.tif 000004
【図４】
0004649779.tif 000005
【図５】
0004649779.tif 000006
【図６】
0004649779.tif 000007